(57)【要約】【課題】回路の小型化・低コスト化が実現でき、かつ、点灯時のランプ電流のリップルを減らすことができる高圧放電灯点灯装置を提供する。【解決手段】スイッチング素子Ｑ１，Ｑ２とコンデンサＣ３，Ｃ４により構成されるハーフブリッジ回路の出力にインダクタＬ１とコンデンサＣ１を介して高圧放電灯ＤＬを接続するとともに、スイッチング素子Ｑ１，Ｑ２の接続点にインダクタＬ２とコンデンサＣ２の共振回路５を接続し、始動時には共振回路５を高周波で励振することで始動電圧を得ると共に、点灯時には高圧放電灯ＤＬを低周波で矩形波点灯させ、共振回路５と直列に挿入されたスイッチＭＲ１をオフさせて共振回路５の電流を遮断する。【選択図】図１
2005135618.tif 000002
【特許請求の範囲】
【請求項１】
直流電源の高圧側に一端を接続された第１のスイッチング素子と、直流電源の低圧側に一端を接続された第２のスイッチング素子と、第１および第２のスイッチング素子の各他端に一端を接続された第１のコンデンサと、第１のコンデンサの他端に一端を接続された第１のインダクタと、第１のインダクタと第１のコンデンサの接続点に一端を接続される高圧放電灯と、高圧放電灯の他端と第１のコンデンサの前記一端との間に接続された第２のインダクタと、第２のインダクタの巻線と磁気結合した巻線と直流電源の低圧側との間に接続されて直列共振回路を構成する第２のコンデンサと、直流電源の高圧側と第１のインダクタの他端の間に接続された第３のコンデンサと、直流電源の低圧側と第１のインダクタの他端の間に接続された第４のコンデンサと、第１および第２のスイッチング素子のオン・オフを制御する制御回路部とを備え、
前記制御回路部は、
高電圧放電灯の点灯前には、第１のスイッチング素子がオンで第２のスイッチング素子がオフである状態と、第１のスイッチング素子がオフで第２のスイッチング素子がオンである状態とが高周波で交互に切り替わる第１の制御モードで動作し、
高電圧放電灯の点灯後には、第１のスイッチング素子が高周波でオン・オフする動作と、第２のスイッチング素子が高周波でオン・オフする動作とが低周波で交互に切り替わる第２の制御モードで動作し、
第１の制御モードでは、前記直列共振回路をスイッチング周波数又はその高調波成分で共振させて高圧放電灯を始動させるための高電圧を発生するように構成され、
第２の制御モードでは、前記直列共振回路の第２のコンデンサの充放電電流がランプ電流に重畳されることで発生するランプ電流のリップル成分を軽減または除去する手段を具備したことを特徴とする高圧放電灯点灯装置。
【請求項２】
請求項１において、第２のコンデンサの充放電電流がランプ電流に重畳されることで発生するランプ電流のリップル成分を軽減または除去する手段とは、前記直列共振回路に直列に接続された限流抵抗であることを特徴とする高圧放電灯点灯装置。
【請求項３】
請求項１において、第２のコンデンサの充放電電流がランプ電流に重畳されることで発生するランプ電流のリップル成分を軽減または除去する手段とは、前記直列共振回路に直列に接続された限流インダクタであることを特徴とする高圧放電灯点灯装置。
【請求項４】
請求項１において、第２のコンデンサの充放電電流がランプ電流に重畳されることで発生するランプ電流のリップル成分を軽減または除去する手段とは、前記直列共振回路に直列に接続されたメカニカルリレースイッチであることを特徴とする高圧放電灯点灯装置。
【請求項５】
請求項１において、第２のコンデンサの充放電電流がランプ電流に重畳されることで発生するランプ電流のリップル成分を軽減または除去する手段とは、前記直列共振回路に直列に接続された２つの直列接続されたスイッチング素子であることを特徴とする高圧放電灯点灯装置。
【請求項６】
請求項１において、第２のコンデンサの充放電電流がランプ電流に重畳されることで発生するランプ電流のリップル成分を軽減または除去する手段とは、高圧放電灯と直列に接続されるインダクタンス要素と、このインダクタンス要素と高圧放電灯の直列回路に並列に接続されるキャパシタンス要素からなるローパスフィルタであることを特徴とする高圧放電灯点灯装置。
【請求項７】
請求項１〜６のいずれかに記載の高圧放電灯点灯装置を備えることを特徴とする照明装置。
【発明の詳細な説明】
【技術分野】
【０００１】
本発明は店舗用照明装置や配線ダクト用照明装置などに用いられる小型・低コストの高圧放電灯点灯装置に関するものである。
【背景技術】
【０００２】
従来よりＨＩＤランプを点灯する高圧放電灯点灯装置の回路にはランプを絶縁破壊して点灯状態に移行させるためのイグニツション方式として２通りの方式が用いられている。１つは、特開平１０−１０６７８５号に記載されているパルス電圧印加方式であり、もう１つは、米国特許第６，４２６，５９７号に記載されているようなインダクタとコンデンサを直列に接続した回路からなる共振昇圧方式である。いずれもランプ点灯のためのインバータ回路部には４つのスイッチング素子が用いられていた。また、スイッチング素子数の削減及びにそれらスイッチング素子の駆動回路の簡略化が図れる方式として米国特許第６，４９５，９７１号に記載されている２石式（ハーフブリッジ式）インバータ回路による共振昇圧方式が知られている。
【０００３】
なお、高圧放電灯の始動時に半波放電が起きたときに、素子のストレスを抑制する回路として特許文献１の技術が知られているが、点灯時のランプ電流のリップルを軽減あるいは除去するものではない。
【特許文献１】特開２００２−４３０７６号公報
【発明の開示】
【発明が解決しようとする課題】
【０００４】
従来例の高圧放電灯点灯装置においては、スイッチング素子４石を用いるとスイッチング素子の駆動回路も含めて、部品点数が多く、部品実装面積が大きく、その結果、回路の小型化・低コスト化が難しくなるという問題がある。また、米国特許第６，４９５，９７１号のハーフブリッジ回路を用いると共振昇圧回路のコンデンサとランプ電流リップル除去用のコンデンサが兼用となるため、ランプ電流リップルがほとんどフィルターされていなかった。そのため、多大なストレスがランプへかかっていた。
【０００５】
本発明はこのような点に鑑みてなされたものであり、回路の小型化・低コスト化が実現でき、かつ、点灯時のランプ電流のリップルを減らすことができる高圧放電灯点灯装置を提供することを課題とする。
【課題を解決するための手段】
【０００６】
本発明によれば、上記の課題を解決するために、図１に示すように、直流電源の高圧側に一端を接続された第１のスイッチング素子Ｑ１と、直流電源の低圧側に一端を接続された第２のスイッチング素子Ｑ２と、第１および第２のスイッチング素子Ｑ１，Ｑ２の各他端に一端を接続された第１のコンデンサＣ１と、第１のコンデンサＣ１の他端に一端を接続された第１のインダクタＬ１と、第１のインダクタＬ１と第１のコンデンサＣ１の接続点に一端を接続される高圧放電灯ＤＬと、高圧放電灯ＤＬの他端と第１のコンデンサＣ１の前記一端との間に接続された第２のインダクタＬ２と、第２のインダクタＬ２の巻線Ｎ２と磁気結合した巻線Ｎ１と直流電源の低圧側との間に接続されて直列共振回路５を構成する第２のコンデンサＣ２と、直流電源の高圧側と第１のインダクタＬ１の他端の間に接続された第３のコンデンサＣ３と、直流電源の低圧側と第１のインダクタＬ１の他端の間に接続された第４のコンデンサＣ４と、第１および第２のスイッチング素子Ｑ１，Ｑ２のオン・オフを制御する制御回路部４とを備え、前記制御回路部４は、高電圧放電灯ＤＬの点灯前には、第１のスイッチング素子Ｑ１がオンで第２のスイッチング素子Ｑ２がオフである状態と、第１のスイッチング素子Ｑ１がオフで第２のスイッチング素子Ｑ２がオンである状態とが高周波で交互に切り替わる第１の制御モードで動作し、高電圧放電灯ＤＬの点灯後には、第１のスイッチング素子Ｑ１が高周波でオン・オフする動作と、第２のスイッチング素子Ｑ２が高周波でオン・オフする動作とが低周波で交互に切り替わる第２の制御モードで動作し、第１の制御モードでは、前記直列共振回路５をスイッチング周波数又はその高調波成分で共振させて高圧放電灯ＤＬを始動させるための高電圧を発生するように構成され、第２の制御モードでは、前記直列共振回路５の第２のコンデンサＣ２の充放電電流がランプ電流に重畳されることで発生するランプ電流のリップル成分を軽減または除去する手段ＭＲ１を具備したことを特徴とするものである。
【発明の効果】
【０００７】
本発明の高圧放電灯点灯装置によれば、ハーフブリッジ回路を用いることで、インバータ回路部のスイッチング素子を減らすことができ、スイッチング素子の駆動回路を簡略化できることで部品点数を削減でき、また、駆動回路の回路パターン引き回しの削減で実装面積を小型化できるので、小型で低コストな高圧放電灯点灯装置を実現可能となり、さらに、ハーフブリッジインバータ回路と共振昇圧方式を用いた場合に問題となるランプ電流リップルによるランプへのストレスを軽減または除去することができるので、ランプ長寿命化を実現できるという効果がある。
【発明を実施するための最良の形態】
【０００８】
図１は本発明の高圧放電灯点灯装置の好ましい実施の形態を示す回路図である。図中、１は交流電源、２は整流回路部、３は点灯回路部、４は制御回路部、５は共振回路部、６は力率改善制御回路である。交流電源１には、ノイズフィルター回路と電路保護素子を介して整流回路部２におけるダイオードブリッジＤＢの交流入力端が接続されている。ダイオードブリッジＤＢの直流出力の高圧側にはインダクタＬ３の一端が接続されている。ダイオードブリッジＤＢの直流出力の低圧側とインダクタＬ３の他端との間にはスイッチング素子Ｑ５が接続されている。インダクタＬ３とスイッチング素子Ｑ５の接続点にはダイオードＤ５のアノード側が接続されており、ダイオードＤ５のカソード側とグラウンド間にはコンデンサＣ５が接続されている。力率改善制御回路６は、ダイオードブリッジＤＢから出力される全波整流波形に合わせて整流回路部２のスイッチング素子Ｑ５をＯＮ／ＯＦＦ制御することで、インダクタＬ３に流れる三角電流波形のピークが全波整流波形を辿るようにＰＷＭ信号を送る制御回路である。
【０００９】
点灯回路部３は整流回路部２から供給される直流電源を交流に変換して負荷ＤＬに供給するために、スイッチング素子Ｑ１，Ｑ２とコンデンサＣ３，Ｃ４によりハーフブリッジ回路を形成している。スイッチング素子Ｑ１とコンデンサＣ３の各一端が直流電源の高電位側に接続されており、スイッチング素子Ｑ１の他端とスイッチング素子Ｑ２の一端が直列に接続され、コンデンサＣ３の他端とコンデンサＣ４の一端が直列に接続されており、スイッチング素子Ｑ２とコンデンサＣ４の各他端がグラウンドに接続されている。負荷電流を制限するために、コンデンサＣ３，Ｃ４の接続点と負荷ＤＬとの間にインダクタＬ１が直列に接続されており、負荷電流のリップル成分を除去するため負荷ＤＬに並列にコンデンサＣ１が接続されている。点灯回路部３の負荷ＤＬは高圧放電灯（以下、単にランプＤＬと呼ぶ）である。
【００１０】
制御回路部４は点灯回路部３を構成するスイッチング素子Ｑ１，Ｑ２を所望の動作に制御するものであり、制御用ＩＣ４０と駆動回路４１を備えている。制御用ＩＣ４０は例えばマイコンで構成されている。駆動回路４１はマイコンの出力信号によりスイッチング素子Ｑ１，Ｑ２を駆動するドライバＩＣよりなる。
【００１１】
共振回路部５は、ランプＤＬを始動するための共振電圧を発生するために、前記スイッチング素子Ｑ１とＱ２の接続点と負荷ＤＬの間に直列に接続されたインダクタＬ２と、インダクタＬ２の巻線の一部に一端を接続されたコンデンサＣ２と、コンデンサＣ２の他端に直列に接続されたメカニカルリレースイッチＭＲ１とからなる。
【００１２】
以下、図２と図３を用いて放電灯点灯装置の動作について説明する。
（始動モード）
高圧放電灯を始動するにはランプＤＬの電極間に高電圧を印如して、電極間の絶縁を破壊する必要がある。この放電灯点灯装置においては、始動モード中、メカニカルリレースイッチＭＲ１をずっとＯＮした状態において、インダクタＬ２の巻線Ｎ１とコンデンサＣ２の共振周波数（≒１５０ＫＨｚ）と略同じ周波数ｆｓｗ１で、図２のようにスイッチング素子Ｑ１とＱ２を交互に略５０％ずつのデューティでオン・オフする。
【００１３】
ところで、図１の回路にはインダクタＬ２とコンデンサＣ２からなる共振回路と、インダクタＬ１とコンデンサＣ１からなる共振回路を具備しているが、ランプ点灯時のランプ電流抑制用であるインダクタＬ１のインダクタンス値は数百μＨ〜数ｍＨの範囲、ランプ点灯時のランプ電流リップル除去用のコンデンサであるコンデンサＣ１の容量は数百ｎＦ〜数μＦの範囲であり、これらの共振周波数は数ＫＨｚレベルと上記スイッチング素子Ｑ１とＱ２の始動モードにおける動作周波数ｆｓｗ１よりもかなり低いため影響されない。この実施の形態では、Ｌ１＝７００μＨ、Ｃ１＝２２０ｎＦとしており、故に、インダクタＬ１とコンデンサＣ１からなる共振回路の共振周波数はｆ１＝１２ＫＨｚである。無負荷動作時にはインダクタＬ１とコンデンサＣ１の共振回路の影響を無くすため、インダクタＬ１とコンデンサＣ１からなる共振回路の共振周波数ｆ１は始動モードのスイッチング周波数ｆｓｗ１の１／２以下にすることが好ましい。
【００１４】
この動作（動作Ａとする）をマイコンで設定された回数（５０回）繰り返す。動作Ａを５０回実施した後、ランプの発熱を下げるため、８００μｓｅｃの間、電圧印加を停止する。この８００μｓｅｃの経過後、再び動作Ａを繰り返す。そして、動作Ａと８００μｓｅｃの休止動作の組み合わせ（動作Ｂとする）を２０秒間繰り返した後、ランプの発熱を下げるため、２分間、電圧印加を停止する。２分間の休止後、再び動作Ｂを繰り返す。そして、動作Ｂと２分間の休止動作の組み合わせ（動作Ｃとする）を３０分間繰り返してもランプが点灯しない場合は、回路が動作を停止する。
【００１５】
以下、高電圧印加中にランプが絶縁破壊して、点灯モードへ移行した場合を説明する。動作Ａにより、インダクタＬ２の１次巻線Ｎ１とコンデンサＣ２の接続点にはグランドＧＮＤに対して数ＫＶの共振電圧が発生し、インダクタＬ２の２次巻線Ｎ２を介してＮ１：Ｎ２の巻数比分、昇圧された共振電圧がランプＤＬに印加され、ランプＤＬが始動する。このとき、図１で示すインダクタＬ１の２次巻線からダイオードＤ３，Ｄ４により全波整流された電圧を検出することで、ランプＤＬの始動を検出し、次の点灯モードへ移行するものである。
【００１６】
（点灯モード）
点灯モードでは制御回路部４は図３のようにスイッチング素子Ｑ１、Ｑ２のスイッチングモードを切り替える。その動作を以下説明する。また、ランプ点灯を検出するとメカニカルリレースイッチＭＲ１はずっとＯＦＦ状態を継続して、共振回路５を点灯回路部３から確実に切り離した状態を維持する。
【００１７】
（ａ）制御回路部４は、スイッチング素子Ｑ２をオフ状態にして、スイッチング素子Ｑ１をオン・オフ制御する。スイッチング素子Ｑ１がオンした後、ランプ電流ＩDLが所望の電流値に到達するのを電流検出手段ＩDET で検出した後、スイッチング素子Ｑ１をオフする。ランプ電流ＩDLが０まで減衰するのを電流検出手段ＩDET で検出し、スイッチング素子Ｑ１を再びオンし、再度同じ動作を繰り返して、図３のような三角波状のランプ電流ＩDLを流す。
【００１８】
（ｂ）制御回路部４は次に、スイッチング素子Ｑ１をオフ状態にして、スイッチング素子Ｑ２をオン・オフ制御する。この動作により（ａ）の動作に対して逆向きのランプ電流ＩDLを流す。スイッチング素子Ｑ２がオンした後、ランプ電流ＩDLが所望の電流値に到達するのを電流検出手段ＩDET で検出した後、スイッチング素子Ｑ２をオフする。ランプ電流ＩDLが０まで減衰するのを電流検出手段ＩDET で検出し、スイッチング素子Ｑ２を再びオンし、再度同じ動作を繰り返して、図３のような三角波状のランプ電流ＩDLを流す。なお、ここでは、電流検出手段ＩDET は、インダクタＬ１の２次巻線からダイオードＤ３，Ｄ４により全波整流された電圧を検出するマイコンの入力ポートよりなる。
【００１９】
制御回路部４は前記（ａ）、（ｂ）の動作を１００Ｈｚ〜２００Ｈｚの周波数で交番させて、ランプＤＬに安定した電力を供給する。
仮に点灯モードにおいてメカニカルリレースイッチＭＲ１をＯＦＦせず、共振回路５が点灯回路部３に接続されたままの状態を維持したとすると、次のようにランプ電流にリップルが重畳されてしまう。
【００２０】
図４はそれぞれ点灯モードの上記（ａ）、（ｂ）の動作中に共振回路５が接続されていた場合の電流経路を示している。点灯モードの動作（ａ）の期間中は、図４（ａ）に示すように、スイッチング素子Ｑ１のＯＮタイミングごとにコンデンサＣ２に瞬間的に電流が流れ込み、インダクタＬ２の巻線Ｎ１に磁気的に結合されている巻線Ｎ２を介してその振動電流がランプ電流に重畳される。点灯モードの動作（ｂ）の期間中は、図４（ｂ）に示すように、スイッチング素子Ｑ２のＯＮタイミングごとにコンデンサＣ２に溜まった電荷を放出する放電電流が流れ出し、インダクタＬ２の巻線Ｎ１に磁気的に結合されている巻線Ｎ２を介してその振動電流がランプ電流に重畳される。
【００２１】
図１の構成によれば、点灯モードではメカニカルリレースイッチＭＲ１をＯＦＦ状態とすることで、共振回路５を点灯回路部３から確実に切り離し、コンデンサＣ２への充放電電流を無くすことができ、したがって、ランプ電流リップルを除去したハーフブリッジインバータ回路を用いた小型・安価な共振昇圧式の高圧放電灯点灯装置を実現できる。
【実施例１】
【００２２】
図５に本発明の実施例１を示す。図１の基本構成と同一の要素には同一の符号を付して重複する説明は省略する。本実施例では、図１の回路において、コンデンサＣ２と直列に接続されていたメカニカルリレースイッチＭＲ１を省略し、代りに、ランプＤＬと直列にインダクタＬ４を接続し、インダクタＬ４とランプＤＬの直列回路と並列に、メカニカルリレースイッチＭＲ２を介してコンデンサＣ６が接続されている。なお、メカニカルリレースイッチＭＲ１，ＭＲ２は接点のみを図示しているが、制御回路部４の制御用ＩＣ４０により接点の開閉が制御されるものである。図１のメカニカルリレースイッチＭＲ１は、始動モードでＯＮ状態、点灯モードでＯＦＦ状態としたが、図５の構成では、メカニカルリレースイッチＭＲ２を、始動モードではＯＦＦ状態、点灯モードではＯＮ状態とする。
【００２３】
コンデンサＣ６とインダクタＬ４はランプ電流のリップル除去用のローパスフィルターを構成している。点灯モードでは、メカニカルスイッチＭＲ２がＯＮ状態となることにより、ランプ電流のリップル除去用のローパスフィルターが接続された状態となり、共振回路５のコンデンサＣ２の充放電電流によるリップル電流がランプ電流に重畳して流れても、コンデンサＣ６によりリップル電流がバイパスされると共に、インダクタＬ４によりリップル電流がブロックされるので、ランプＤＬに流れるリップル電流は軽減される。
【００２４】
なお、図１の構成では、インダクタＬ２の巻線に中間タップを設けて、この中間タップにコンデンサＣ２の一端を接続していたが、図５の構成では、インダクタＬ２をトランス構成とし、その１次巻線Ｎ１と２次巻線Ｎ２の各一端をスイッチング素子Ｑ１，Ｑ２の接続点に接続し、１次巻線Ｎ１の他端をコンデンサＣ２の一端に接続し、２次巻線Ｎ２の他端をランプＤＬの一端に接続する構成としている。インダクタＬ２の１次巻線Ｎ１と２次巻線Ｎ２は磁気結合されており、コンデンサＣ２を介して１次巻線Ｎ１に電流が流れると、２次巻線Ｎ２に起電力が生じるようになっている。インダクタＬ２の巻線Ｎ１，Ｎ２は図１と図５のいずれの構成を用いてもかまわない。以下の各実施例においても同様である。
【実施例２】
【００２５】
図６に本発明の実施例２の要部構成を示す。本実施例では、図１の構成において、メカニカルリレースイッチＭＲ１の代りに、スイッチング素子Ｑ３，Ｑ４の直列回路を用いたものである。すなわち、インダクタＬ１の１次巻線Ｎ１とコンデンサＣ２の直列共振回路に直列に２個のスイッチング素子Ｑ３，Ｑ４を接続する。スイッチング素子Ｑ３は高耐圧ＦＥＴよりなり、スイッチング素子Ｑ４はドレイン・ソース間の容量Ｃｄｓの小さな（数〜数十ｐＦオーダー）ＦＥＴよりなる。無負荷時にはスイッチング素子Ｑ３、Ｑ４は共にＯＮ状態となり、点灯時にはスイッチング素子Ｑ３、Ｑ４は共にＯＦＦ状態となるように制御回路部４の制御用ＩＣ４０により制御される。これにより、点灯時の共振コンデンサの容量を数〜数十ｐＦオーダーまで下げられるので、共振コンデンサへの充放電電流を大幅に減少させることができ、ランプ電流リップルの少ないハーフブリッジインバータ回路を用いた小型で安価な共振昇圧式の高圧放電灯点灯装置を実現できる。
【実施例３】
【００２６】
図７に本発明の実施例３の要部構成を示す。本実施例では、インダクタＬ１の１次巻線Ｎ１とコンデンサＣ２の直列共振回路に直列に限流用の抵抗Ｒ５を接続したものである。その結果、点灯時の共振コンデンサへの充放電電流を大幅に減少させることができ、ランプ電流リップルの少ないハーフブリッジインバータ回路を用いた小型で安価な共振昇圧式の高圧放電灯点灯装置を実現できる。
【実施例４】
【００２７】
図８に本発明の実施例４の要部構成を示す。本実施例では、インダクタＬ１の１次巻線Ｎ１とコンデンサＣ２の直列共振回路に直列に限流用のインダクタＬ５を接続したものである。その結果、点灯時の共振コンデンサへの充放電電流を大幅に減少させることができ、ランプ電流リップルの少ないハーフブリッジインバータ回路を用いた小型で安価な共振昇圧式の高圧放電灯点灯装置を実現できる。
【実施例５】
【００２８】
図９に本発明の実施例５の要部構成を示す。本実施例では、インダクタＬ１の１次巻線Ｎ１と２次巻線Ｎ２の巻数比をＮ１／Ｎ２＜１となるように巻くことで、所望の共振周波数で設計できるものでありながら、共振コンデンサＣ２への充放電電流により重畳される電流を抑制することができる。
【００２９】
なお、図１〜図９の各構成において、始動モードのスイッチング周波数（図２参照）は、共振回路５の共振周波数近傍に限らず、スイッチング周波数をスイープさせて共振点を通過するようにしても良い。また、始動モードのスイッチング周波数は共振回路５の共振周波数の整数倍又は整数分の１の周波数またはその近傍の周波数としても良い。
【産業上の利用可能性】
【００３０】
本発明は店舗用照明装置や配線ダクト用照明装置などに利用することができる。
【図面の簡単な説明】
【００３１】
【図１】本発明の高圧放電灯点灯装置の基本構成を示す回路図である。
【図２】図１の点灯装置の始動時の動作を示す波形図である。
【図３】図１の点灯装置の点灯時の動作を示す波形図である。
【図４】図１の点灯装置の点灯時における電流リップルの発生原因を説明するための回路図である。
【図５】本発明の実施例１の回路図である。
【図６】本発明の実施例２の要部回路図である。
【図７】本発明の実施例３の要部回路図である。
【図８】本発明の実施例４の要部回路図である。
【図９】本発明の実施例５の要部回路図である。
【符号の説明】
【００３２】
１      交流電源
２      整流回路部
３      点灯回路部
４      制御回路部
５      共振回路部
ＤＬ    高圧放電灯
ＭＲ１  メカニカルリレースイッチ
【図１】
2005135618.tif 000003
【図２】
2005135618.tif 000004
【図３】
2005135618.tif 000005
【図４】
2005135618.tif 000006
【図５】
2005135618.tif 000007
【図６】
2005135618.tif 000008
【図７】
2005135618.tif 000009
【図８】
2005135618.tif 000010
【図９】
2005135618.tif 000011